(57)【要約】【課題】マニュアルフォーカス操作を容易に行うために距離環による焦点調節用の光学系進退のための減速比を連続的に変化させることが可能な撮影レンズ鏡筒を提供する。【解決手段】光軸を有するズームレンズ２２およびフォーカスレンズ２１を備えた撮影レンズ鏡筒１において、ズーム値を変更するための回転可能なズーム環６と、上記焦点調節操作を行うための距離環５と、フォーカスレンズ２１を移動させるＬＤ枠９と、ボール１５と、ボール１５を三方側から挟むため、それぞれが転動面を有するＭＦボール受ケ１３、ＭＦロータ１２、ＭＦボール押エ１４と、ＭＦボール押エ１４をＭＦボール受ケ１３側に付勢するＭＦボール押エ付勢バネ１７と、ズーム環６の回転位置に応じてＭＦロータ１２を光軸方向に位置させるスラスト環８とを具備しており、スラスト環８の位置により距離環５の操作回転角度を変化させる。【選択図】図１
2009217045.tif 000002
【特許請求の範囲】
【請求項１】
光軸を有するズーム値変更用光学系および焦点調節用光学系を備えた撮影レンズ鏡筒において、
上記ズーム値変更用光学系のズーム値を変更するため、上記撮影レンズの上記光軸周りに回転可能なズーム環と、
上記焦点調節用光学系を上記光軸方向に移動させるため、上記撮影レンズの上記光軸周りに回転可能な距離環と、
上記焦点調節用光学系を上記光軸方向に移動させるため、上記光軸周りに回転する伝達枠部材と、
上記光軸周りに転動して上記伝達枠部材を回転させる転動部材と、
上記転動部材を上記光軸周りに転動させるため、上記光軸周りに固定され、上記転動部材が転動する径方向に変化する曲面もしくはテーパ面を有する環状の第一の転動面を有する第一の転動面部材と、
上記第一の転動面とともに上記転動部材を挟むように上記光軸方向に移動可能となっていて、上記転動部材が転動する転動面が上記光軸周りのテーパ面もしくは径方向に変化する曲面を有し、上記光軸方向の移動に伴い上記転動部材を少なくとも上記光軸と垂直な方向に進退させ、上記距離環の回動に伴って回動し、上記光軸周りに上記転動部材を転動させる環状の第二の転動面を有する第二の転動面部材と、
上記第一の転動面と第二の転動面とともに上記転動部材を挟み、上記第二の転動面の上記光軸方向への移動に伴い、上記転動部材を介して上記光軸周方向に移動可能となっていて、上記光軸周りに上記転動部材が上記第一の転動面を転動するときに上記転動部材が転動する転動面が径方向に変化する曲面もしくはテーパ面を有する環状の第三の転動面をもつ第三の転動面部材と、
上記第三の転動面を上記第一の転動面の方向に移動させるように付勢する付勢部材と、
上記ズーム環の回動位置に応じて、上記第二の転動面を光軸方向に位置させる転動面位置設定手段と、
を具備することを特徴とした撮影レンズ鏡筒。
【請求項２】
上記ズーム環と上記第二の転動面部材との間にはカム手段を有し、該カム手段により上記第二の転動面部材を光軸方向に位置決めすることを特徴とする請求項１記載の撮影レンズ鏡筒。
【請求項３】
上記転動部材は、複数のボール部材からなり、上記伝達枠部材には該ボール部材間の間隔を決定するリテーナ部が設けられており、該伝達枠部材と上記焦点調節用光学系との間には上記焦点調節用光学系を位置決めするためのカム手段が設けられていることを特徴とする請求項１記載の撮影レンズ鏡筒。
【請求項４】
上記第一の転動面部材と第三の転動面部材のそれぞれの転動面は、光軸を含む平面での断面形状が曲面であることを特徴とする請求項１記載の撮影レンズ鏡筒。
【請求項５】
上記第三の転動面部材は、上記第一の転動面部材上を上記光軸方向に移動可能に上記第一の転動面部材に嵌合していることを特徴とする請求項１記載の撮影レンズ鏡筒。
【請求項６】
第一の転動面部材と、上記第二の転動面部材と、上記第三の転動面部材、及び、上記転動部材とで減速機構を成し、上記距離環の回転角を減じて上記伝達枠部材に伝達することを特徴とする請求項１記載の撮影レンズ鏡筒。
【発明の詳細な説明】
【技術分野】
【０００１】
本発明は、フォーカシングおよびズーミングが可能な撮影レンズ鏡筒に関する。
【０００２】
従来、フォーカシングおよびズーミングが可能な撮影レンズ鏡筒において、ＭＦ（マニュアルフォーカシング）は、距離環（マニュアルフォーカスリング）の回動操作により行われる。通常のカメラでは距離環の回転角とフォーカスレンズを進退させるフォーカス枠との回転角との回転比は一定の関係にある。これに対して距離環の操作回転比（減速比）を増減して使い勝手を改善したものが特許文献１に開示されている。
【０００３】
特許文献１に開示されたレンズ鏡筒は、距離環がローラ機構による二段切り換えの減速機構に連結されて、フォーカスキー（フォーカス枠）を回転駆動するように構成されている。例えば、モータ、マニュアルフォーカシング時には、上記差動機構の減速比を４に設定することによって、より微調整がしやすい状態になる。また、マニュアルフォーカシングのみのとき、上記減速比を２に設定することで素早いＭＦ動作を可能にしている。
【特許文献１】特開平６−１６０６９０号公報
【発明の開示】
【発明が解決しようとする課題】
【０００４】
ところが、上述した特許文献１によるレンズ鏡筒は、距離環とフォーカス枠との減速比が段階的な所定の値に限定されており、連続して変化させることができない。フォーカシングの操作性を考えた場合、例えば、レンズ鏡筒のズーム状態がワイド端、または、その近傍である場合、上記距離環の回転に対するピント状態の変化がなだらかであり、上記距離環をより広い範囲に回転させる必要があり、一方、テレ端、または、その近傍では、ピント状態の変化が急峻であり、上記距離環の回転範囲が狭い。従って、ワイド端からテレ端の間の各ズーム状態では、それぞれに対応した距離環の減速比を連続的に変化させることが望ましい。
【０００５】
本発明は、上述の問題を解決するためになされたものであり、距離環による焦点調節用の光学系進退のための回転比を連続的に変化させてマニュアルフォーカス操作を容易に行うことが可能な撮影レンズ鏡筒を提供することを目的とする。
【課題を解決するための手段】
【０００６】
本発明の請求項１記載の撮影レンズ鏡筒は、光軸を有するズーム値変更用光学系および焦点調節用光学系を備えた撮影レンズ鏡筒において、上記ズーム値変更用光学系のズーム値を変更するため、上記撮影レンズの上記光軸周りに回転可能なズーム環と、上記焦点調節用光学系を上記光軸方向に移動させるため、上記撮影レンズの上記光軸周りに回転可能な距離環と、上記焦点調節用光学系を上記光軸方向に移動させるため、上記光軸周りに回転する伝達枠部材と、上記光軸周りに転動して上記伝達枠部材を回転させる転動部材と、上記転動部材を上記光軸周りに転動させるため、上記光軸周りに固定され、上記転動部材が転動する径方向に変化する曲面もしくはテーパ面からなる環状の第一の転動面を有する第一の転動面部材と、上記第一の転動面とともに上記転動部材を挟むように上記光軸周方向に移動可能となっていて、上記転動部材が転動する転動面が上記光軸周りのテーパ面もしくは径方向に変化する曲面を有し、上記光軸方向の移動に伴い上記転動部材を少なくとも上記光軸と垂直な方向に進退させ、上記距離環の回動に伴って回動し、上記光軸周りに上記転動部材を転動させる環状の第二の転動面を有する第二の転動面部材と、上記第一の転動面と第二の転動面とともに上記転動部材を挟み、上記第二の転動面の上記光軸方向への移動に伴い、上記転動部材を介して上記光軸方向に移動可能となっていて、上記光軸周りに上記転動部材が上記第一の転動面を転動するときに上記転動部材が転動する転動面が径方向に変化する曲面もしくはテーパ面からなる環状の第三の転動面を有する第三の転動面部材と、上記第三の転動面を上記第一の転動面の方向に移動させるように付勢する付勢部材と、上記ズーム環の回動位置に応じて、上記第二の転動面を光軸方向に位置させる転動面位置設定手段とを具備する。
【０００７】
本発明の請求項２記載の撮影レンズ鏡筒は、請求項１記載の撮影レンズ鏡筒において、上記ズーム環と上記第二の転動面部材との間にはカム手段を有し、該カム手段により上記第二の転動面部材を光軸方向に位置決めする。
【０００８】
本発明の請求項３記載の撮影レンズ鏡筒は、請求項１記載の撮影レンズ鏡筒において、上記転動部材は、複数のボール部材からなり、上記伝達枠部材には該ボール部材間の間隔を決定するリテーナ部が設けられており、該伝達枠部材と上記焦点調節用光学系との間には上記焦点調節用光学系を位置決めするためのカム手段が設けられている。
【０００９】
本発明の請求項４記載の撮影レンズ鏡筒は、請求項１記載の撮影レンズ鏡筒において、上記第一の転動面部材と第三の転動面部材のそれぞれの転動面は、光軸を含む平面での断面形状が曲面である。
【００１０】
本発明の請求項５記載の撮影レンズ鏡筒は、請求項１記載の撮影レンズ鏡筒において、上記第三の転動面部材は上記第一の転動面部材上を上記光軸方向に移動可能に上記第一の転動面部材に嵌合している。
【００１１】
本発明の請求項６記載の撮影レンズ鏡筒は、請求項１記載の撮影レンズ鏡筒において、第一の転動面部材と、上記第二の転動面部材と、上記第三の転動面部材、及び、上記転動部材とで減速機構を成し、上記距離環の回転角を減じて上記伝達枠部材に伝達する。
【発明の効果】
【００１２】
本発明によれば、マニュアルフォーカス操作が行いやすくするために距離環による焦点調節用の光学系進退のための回転比を連続的に変化させることが可能な撮影レンズ鏡筒を提供することができる。
【発明を実施するための最良の形態】
【００１３】
以下、図を用いて本発明の実施形態について説明する。
【００１４】
図１は、本発明の一実施形態としての撮影レンズ鏡筒（レンズ鏡筒と記載する）のズームテレ端状態での要部のレンズ光軸に沿った断面図である。図２は、図１のＡ−Ａ線上の周面に沿った部分展開図である。図３は、図１のＢ−Ｂ線上の周面に沿った部分展開図である。図４は、図１の撮影レンズ鏡筒のズームワイド端状態での要部のレンズ光軸に沿った断面図である。図５は、図４のＣ−Ｃ線上の周面に沿った部分展開図である。図６は、図４のＤ−Ｄ線上の周面に沿った部分展開図である。図７は、図１の撮影レンズ鏡筒に組み込まれる差動機構部の拡大断面図である。
【００１５】
なお、レンズ鏡筒の撮影レンズの光軸（以下、光軸と記載する）を各図中「Ｏ」で示し、該光軸と平行な方向をＺ方向とし、該光軸に対する半径方向をＹ方向とする。また、光軸の被写体側を前方とし、結像側を後方とする。また、各枠部材の回転方向は、前方側から見たときの回転方向で示す。
【００１６】
図１，２に示すように本実施形態の撮影レンズ鏡筒１は、例えば、デジタル一眼レフカメラに着脱可能なズーミング、フォーカシング可能なレンズ鏡筒であり、固定枠２と、固定枠２の外方側に固定支持される外装枠４と、それぞれ外装枠４に回転操作可能に嵌入する距離環５およびズーム環６と、固定枠２と外装枠４の前端面に固着される前板３と、固定枠２の外周に回転可能に嵌入するズーム枠７および伝達枠部材であるＬＤ枠（フォーカス駆動枠）９と、ズーム枠７，ＬＤ枠９の外周に回転規制状態で嵌入するＭＦ（マニュアルフォーカス）スラスト環８と、距離環５の操作回転角を減じてＬＤ枠９に伝達し回転駆動するための減速機構部と、固定枠２の内周にそれぞれレンズ光軸方向に進退可能に嵌入するフォーカスレンズ枠１０およびズームレンズ枠１１と、フォーカスレンズ枠１０に保持される焦点調節用光学系であるフォーカスレンズ２１と、ズームレンズ枠１１に保持されるズーム値変更用光学系であるズームレンズ２２とを有している。
【００１７】
固定枠２は、円筒形状の枠部材であって、固定枠２の光軸に沿った各３本の直進溝２ａ，２ｂと、外周方向に沿った凸状ガイド２ｃと、凸状ガイド２ｃ上に配されるガイドピン２ｄとを有している。
【００１８】
距離環５は、フォーカスレンズ２１を光軸方向に移動させてマニュアルフォーカシングを行うために回転操作されるリング状部材であって、内周側に後述する減速機構部の第二転動面部材であるＭＦロータ１２が一体的に回転可能に係合している。
【００１９】
ズーム環６は、ズームレンズ２２および図示しない他のレンズを光軸方向に進退させてズーム値を変更させるために回転操作されるリング状枠部材であって、内周側に突出する３本の駆動ピン１８が設けられている。
【００２０】
ズーム枠７は、円筒形状の枠部材であって、その前端面が固定枠２の凸状ガイド２ｃに当接した状態で固定枠２に対して光軸方向に移動規制され、かつ、回転可能に支持されている。ズーム枠７には外周部に駆動ピン係合穴７ａと、内周部に光軸方向に対して斜行する３つのカム溝７ｂが設けられている。
【００２１】
ＭＦスラスト環８は、ズーム枠７およびＬＤ枠９の外周に回転、進退可能に嵌入して支持されるリング状枠部材である。内周部に固定枠２のガイドピン２ｄに摺動可能に嵌入する光軸方向に沿ったガイド溝８ｂと、ズーム環６の駆動ピン１８が係合し、光軸方向に斜行する３つのカム手段であるカム溝８ａとを有している（図２）。
【００２２】
ＬＤ枠９は、段付き円筒形状の部材であって、その後端面が固定枠２の凸状ガイド２ｃに当接した状態で固定枠２に対して光軸方向には移動規制され、かつ、回転可能に支持されている。ＬＤ枠９には前面部に複数の転動部材であるボール１５が転動可能な状態で周方向の移動が規制され、Ｚ方向には移動可能な状態で嵌入するリテーナ部９ａと、内周部に光軸方向に対して斜行する３つのカム手段であるカム溝９ｂが設けられている。
【００２３】
フォーカスレンズ枠１０は、フォーカスレンズ２１を保持する円筒状枠部材であり、外周部に突出する３本のカム従動ピン２０が固着されている。カム従動ピン２０は、固定枠２の直進溝２ｂに摺動可能に嵌入して貫通し、更に、ＬＤ枠９のカム溝９ｂに係合している。
【００２４】
ズームレンズ枠１１は、ズームレンズ２２を保持する円筒状枠部材であり、外周部に突出する３本のカム従動ピン１９が固着されている。カム従動ピン１９は、固定枠２の直進溝２ａに摺動可能に嵌入して貫通し、更に、ズーム枠７のカム溝７ｂに係合している。
【００２５】
上記減速機構部は、第一転動面部材であるＭＦボール受ケ１３と、第三転動面部材であるＭＦボール押エ１４と、第二転動面部材であるＭＦロータ１２と、転動部材である複数の球形状のボール１５と、リング状板バネからなるＭＦロータ付勢バネ１６およびＭＦボール押エ付勢バネ１７とからなる差動機構により構成される。
【００２６】
ＭＦボール受ケ１３は、リング形状の部材であって、外周部前方側に光軸周方向に沿って形成され、径方向に傾斜が変化する所定の曲率の凸状曲面からなる第一転動面である転動面１３ａを有しており、固定枠２の外周部前方部に嵌入し、雌ねじ１３ｂを固定枠側雄ねじ２ｅに螺合させて固定支持される。また、このＭＦボール受ケ１３によりＬＤ枠９のＺ方向の前方への移動が規制されている。
【００２７】
ＭＦボール押エ１４は、リング形状の部材であって、外周部後方側に光軸周方向に沿って形成され、径方向に傾斜が変化する所定の曲率の凸状曲面からなる第三転動面である転動面１４ａを有しており、Ｚ方向に沿ったＭＦボール受ケ１３のガイド溝１３ｃにガイド凸部１４ｂを係合させた状態でＺ方向に摺動可能に嵌合している。また、ＭＦボール押エ１４は、ＭＦボール押エ付勢バネ１７によって後方側、すなわち、ＭＦボール受ケ１３側に付勢されて保持されている。なお、転動面１４ａと転動面１３ａとは、Ｚ方向に対向して配され、光軸と直交する面に関して対称形状をなす。
【００２８】
ＭＦロータ１２は、リング形状の部材であり、内周面に光軸周方向に沿って形成されるテーパ面からなる第二転動面である転動面１２ａを有しており、距離環５の内周部のＺ方向に沿ったガイド溝５ｂにガイド凸部１２ｂを係合させた状態でＺ方向に摺動可能に支持されている。また、ＭＦロータ１２は、ＭＦロータ付勢バネ１６によって後方側に付勢され、ＭＦスラスト環８の前端面に当接し、摺動可能な状態で保持されている。
【００２９】
ボール１５は、ＬＤ枠９のリテーナ部９ａに嵌入した状態で保持され、外周の３箇所がＭＦボール受ケ１３の転動面１３ａと、ＭＦボール押エ１４の転動面１４ａと、ＭＦロータ１２の転動面１２ａとて挟まれた状態で保持される。その挟持力は、ＭＦボール押エ１４を介して作用するＭＦボール押エ付勢バネ１７により後方側（ＭＦボール受ケ１３側）に向けた付勢力による。
【００３０】
上記減速機構部にてフォーカシング操作時に距離環５が回転操作されると、ＭＦロータ１２が一体で回転移動するが、その回転にともなってボール１５が固定状態にある転動面１３ａ，１４ａ上を転動し、転動面１２ａに沿って固定枠２の中心軸（光軸）まわりに公転する。その公転によってＬＤ枠９が距離環５の回転量が減速された状態で固定枠２の外周を回転する。このＬＤ枠９の回転により後述するようにフォーカスレンズ枠１０が進退移動し、フォーカスレンズ２１のフォーカシングが実行される。
【００３１】
なお、ＭＦボール押エ付勢バネ１７の付勢力は、ＬＤ枠９を回転駆動する駆動力の大きさに影響する。
【００３２】
また、後述するようにＭＦロータ１２は、ズーム環６の回転操作にともなって変化するズーム値に連動してスラスト環８を介してＺ方向に進退移動するが、そのＭＦロータ１２のＺ方向の移動位置によってＬＤ枠９の距離環５に対する減速比は定まる。いま、ＭＦロータ１２がＭＦボール受ケ１３に対して図７の減速機構部の拡大断面図に示す相対位置にあるとして、ボール１５中心と転動面１２ａの接触点とＹ方向距離をＨ1 とし、同じくボール１５中心と転動面１３ａおよび１４ａの接触点とＹ方向距離をＨ2 としたとき、ＬＤ枠９の距離環５に対する減速比Ｋｒは、ボール転動時の滑りがなく、また、ボール公転半径がボールの半径より十分大きいとして、
Ｋｒ＝（Ｈ1 ＋Ｈ2 ）／Ｈ2 …（１）
で示され、ＭＦロータ１２（言い換えるとスラスト環８）とＭＦボール受け１３とのＺ方向の相対位置によって連続的に変化する。
【００３３】
例えば、スラスト環８が図１の状態から図４の状態に向けて後退した場合、Ｈ1 は、変化せず、Ｈ2 のみが大きくなる。（１）式により減速比Ｋｒは小さくなり、距離環５の回転に対するＬＤ枠の回転比が増える。
【００３４】
上述した構成を有する本実施形態のレンズ鏡筒１のズーミング、および、フォーカシング動作について説明する。
【００３５】
ズーム環６を回転操作することにより駆動ピン１８を介してズーム枠７が回転する。ズーム枠７の回転にともなってカム従動ピン１９が周方向に移動するのでズームレンズ枠１１がカム溝７ｂに沿って、例えば、図１の状態の位置から図４の状態の位置まで光軸方向に移動し、ズームレンズ２２が対応するズーム位置に移動する。
【００３６】
ズーム環６の回転操作によりカム従動ピン１９が周方向に移動した場合、スラスト環８がカム溝８ａによって光軸方向に移動する。スラスト環８に押圧されてＭＦロータ１２が、それぞれのズーム状態に対応して、例えば、図１の位置から図４の位置にＭＦロータ付勢バネ１６の付勢されながら後退移動する。上記ＭＦロータ１２の移動にともなってボール１５の径方向の転動位置（公転半径）が変化する。このボール１５の位置の変化によりそれぞれのズーム状態に対応した上記減速機構部の減速比Ｋｒが設定される。
【００３７】
そこで、距離環５を回転操作してＬＤ枠９を回転させてカム溝９ｂによりフォーカスレンズ枠１０を進退させてフォーカシングを行うが、そのとき、上述のようにズーム状態に対応した状態の上記減速機構部の減速比でＬＤ枠９が回転駆動される。具体的には、ズームワイド側では、減速比Ｋｒをより小さくしてＬＤ枠９の回転角度（速度）を増やし、合焦点を見つけやすくする。一方、ズームテレ側では、減速比Ｋｒをより大きくして距離環５の操作量を増やして操作しやすくする。また、ワイドとテレの間の各ズーミング状態で上記減速比Ｋｒが連続的に変化し、それぞれのズーム状態に対応した減速比Ｋｒが選択される。
【００３８】
以上、説明したように本実施形態のレンズ鏡筒１によれば、ズーム環６の回転操作により設定された各ズーム状態に対応して距離環５からＬＤ枠９の間の上記減速機構部の減速比Ｋｒが連続的に変化するようになっている。従って、ズームワイド状態からテレ状態にかけてそれぞれの状態に応じた適切な距離環５、ＬＤ枠９の回転量（回転速度）が自動的に設定され、距離環５によるフォーカシング操作が容易になる。また、上記減速機構部の構成が簡単であり、レンズ鏡筒のコンパクト化も可能となる。
【００３９】
次に、上記レンズ鏡筒１に適用した距離環とＬＤ枠間の上記減速機構部に対する２，３の変形例について説明する。
【００４０】
図８は、図１のレンズ鏡筒に適用した減速機構部に対してＭＦロータの変形例を適用したレンズ鏡筒の要部断面図である。
【００４１】
本変形例の減速機構部においては、図１に示したＭＦロータ１２に替えて図８の要部断面図に示されるＭＦロータ１２Ａを適用する。
【００４２】
第二の転動面部材としてのＭＦロータ１２Ａは、スラスト環８Ａに対してガイドピン２３Ａにより光軸回りに回転可能、かつ、光軸方向には位置規制状態で支持される。詳しくは、ＭＦロータ１２Ａのスラスト環８Ａとの嵌合部の外周に周方向に沿ったガイド溝１２Ａｃを設ける。スラスト環８Ａ側には、嵌合状態のＭＦロータ１２Ａのガイド溝１２Ａｃに係合する先端ガイドピン２３Ａａを有するガイドピンネジ２３Ａを外周側から螺着し、固定する。従って、ＭＦロータ１２Ａは、ＭＦロータ付勢バネ１６で付勢することなくスラスト環８Ａとともに一体の状態で光軸方向に進退し、かつ、相対回転可能に支持される。その他のＭＦロータ１２Ａの形状は、ＭＦロータ１２同一とする。
【００４３】
本変形例のＭＦロータ１２Ａを適用した場合、ＭＦロータ付勢バネ１６が不要になり、構成が簡単になる。また、上記付勢バネの付勢力が作用しないことから距離環５の回転抵抗が少なくなり、操作しやすくなる。その他は、第一の実施形態の場合と同様の効果を奏する。
【００４４】
図９は、図１のレンズ鏡筒に適用した減速機構部の転動面形状に対する変形例の要部拡大断面図である。
【００４５】
本変形例における減速機構部のＭＦボール受ケ１３Ｂ，ＭＦボール押エ１４Ｂの転動面は、上述した図１のレンズ鏡筒に適用した減速機構部におけるＭＦボール受ケ１３，ＭＦボール押エ１４の所定の曲率の凸状曲面の転動面１３ａ，１４ａに対して、前後に対向する外周面にて極めて大きい曲率の略エッジ状の先端部１３Ｂａ，１４Ｂａで形成され、ボール１５は、この先端部１３Ｂａ，１４Ｂａに当接する。なお、先端部１３Ｂａ，１４Ｂａは、上記大きい曲率のボール当接部分が第一、第三の転動面となるが、該大きい曲率は、該減速機構部の耐久性上、許容される大きさの曲率とする。ＭＦボール受ケ１３Ｂ，ＭＦボール押エ１４Ｂの他の形状は同一とする。
【００４６】
本変形例の減速機構部のＭＦボール受ケ１３Ｂ，ＭＦボール押エ１４Ｂを適用した場合、ボール１５が略エッジ状の先端部１３Ｂａ，１４Ｂａに当接することから減速機構部の減速比Ｋｒが安定して得られ、操作性が向上する。
【００４７】
さらに、減速機構部のＭＦボール受ケ１３，ＭＦボール押エ１４の転動面の別の変形例として、径方向に傾斜が変化する所定の曲率の凹形状曲面からなる転動面を採用することも可能である。さらに、減速機構部のＭＦロータ１２側の転動面についてもテーパ面に限らず、径方向に傾斜が変化する大きい曲率の凹形状、または、凸形状の転動面を採用することも可能である。
【００４８】
上述した一実施形態のレンズ鏡筒１においては、リテーナ部９ａを有するＬＤ枠９を介して直接的にフォーカスレンズ枠１０を回転操作するマニュアルフォーカシング専用のものであった。これに対してリテーナ部とＬＤ枠の間にフォーカシングアクチュエータ、例えば、超音波モータを介在させることによって、距離環によりマニュアルフォーカシングを行う場合と、超音波モータによりフォーカシングを行う場合とに切り換え可能なレンズ鏡筒に対しても上述した減速機構部を組み込むことが可能である。
【００４９】
なお、上記実施形態およびその変形例では、フォーカスレンズとズームレンズとを分けて説明したがフォーカスレンズがズーム光学系の一部を構成していてもよいことは勿論である。
【００５０】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５１】
本発明による撮影レンズ鏡筒は、マニュアルフォーカス操作を容易に行うために距離環による焦点調節用の光学系進退のための駆動回転減速比を連続的に変化させることが可能な撮影レンズ鏡筒として利用することができる。
【図面の簡単な説明】
【００５２】
【図１】図１は、本発明の一実施形態としてのレンズ鏡筒のズームテレ端状態での要部のレンズ光軸に沿った断面図である。
【図２】図１のＡ−Ａ線上の周面に沿った部分展開図である。
【図３】図１のＢ−Ｂ線上の周面に沿った部分展開図である。
【図４】図１の撮影レンズ鏡筒のズームワイド端状態での要部のレンズ光軸に沿った断面図である。
【図５】図４のＣ−Ｃ線上の周面に沿った部分展開図である。
【図６】図４のＤ−Ｄ線上の周面に沿った部分展開図である。
【図７】図１の撮影レンズ鏡筒に組み込まれる減速機構部の拡大断面図である。
【図８】図１のレンズ鏡筒に適用した減速機構部のＭＦロータの変形例を適用したレンズ鏡筒の要部断面図である。
【図９】図１のレンズ鏡筒に適用した減速機構部の転動面形状に対する変形例の要部拡大断面図である。
【符号の説明】
【００５３】
５  …距離環
６  …ズーム環
８  …ＭＦスラスト環（転動面位置設定手段）
８ａ…カム溝（カム手段）
９  …ＬＤ枠（伝達枠部材）
９ａ…リテーナ部
９ｂ…カム溝（カム手段）
１２，１２Ａ…ＭＦロータ（第二の転動面部材，減速機構）
１２ａ…転動面（第二の転動面）
１３，１３Ｂ…ＭＦボール受ケ（第一の転動面部材，減速機構）
１３ａ…転動面（第一の転動面）
１３Ｂａ…先端部（第一の転動面）
１４，１４Ｂ…ＭＦボール押エ（第三の転動面部材，減速機構）
１４ａ…転動面（第三の転動面）
１４Ｂａ…先端部（第三の転動面）
１５  …ボール（転動部材，減速機構）
１７  …ＭＦボール押エ付勢バネ（付勢部材，減速機構）
２１  …フォーカスレンズ（撮影レンズ，焦点調節用光学系）
２２  …ズームレンズ（撮影レンズ，ズーム値変更用光学系）
【図１】
2009217045.tif 000003
【図２】
2009217045.tif 000004
【図３】
2009217045.tif 000005
【図４】
2009217045.tif 000006
【図５】
2009217045.tif 000007
【図６】
2009217045.tif 000008
【図７】
2009217045.tif 000009
【図８】
2009217045.tif 000010
【図９】
2009217045.tif 000011